(57)【特許請求の範囲】
【請求項１】
建物開口部の額縁内面に固定してスクリーン装置の設置枠を形成させるための取付枠であって、
該取付枠が、スクリーン装置設置用の平坦な取付面の両側端から同一方向に折曲された同長の立壁を備えて断面コ字状に形成され、
該立壁には、その先端から更に突出する方向に埋設部材を取り付ける取付溝を設けると共に、上記額縁の凸形段差の高さに相当する長さだけ該立壁を先端側から切り込んで、その切り込みの先端位置で立壁を折曲することにより該位置で立壁を破断可能にするための、該取付枠の長手方向に延びる折り溝の多数を小間隔で凹設している、
ことを特徴とする建物開口部用スクリーン装置取付枠。
【請求項２】
建物開口部の額縁内面に固定してスクリーン装置の設置枠を形成する取付枠の施工方法であって、
スクリーン装置設置用の平坦な取付面の両側端から同一方向に折曲された同長の立壁を備えて断面コ字状に形成された枠材を用い、
該立壁における上記額縁の凸形段差に対応する位置において、該立壁をその先端側から該凸形段差の高さに相当する長さだけ切り込み、その切り込みの先端位置で立壁を折曲することにより、該枠材の長手方向に小間隔で多数凹設している折り溝のうちで上記切り込みの先端位置に対応する折り溝に沿って該立壁を破断し、
更に、上記額縁の凹形段差に対応する位置において、該立壁先端の埋設部材の取付溝に上記凹形段差の深さ相当長の埋設部材を取り付け、
それによって構成される上記取付枠を、建物開口部の額縁内面の凸形段差及び凹形段差に対応させて該額縁内面に固定することによりスクリーン装置の設置枠を形成する、
ことを特徴とする建物開口部用スクリーン装置取付枠の施工方法。
【発明の詳細な説明】
【技術分野】
【０００１】
本発明は、建物の玄関などにみられる戸毎に適宜形態をとる建物開口部の額縁に対し、収納網戸等の設置枠を有するスクリーン装置の取り付けを容易にするための、建物開口部用スクリーン装置取付枠及びその施工方法に関するものである。
【背景技術】
【０００２】
建物の玄関などの開口部に、防虫網戸等のスクリーン装置を設置したいという要求が多々あるが、該スクリーン装置を玄関の額縁に取り付ける場合、その額縁の内周面は凹凸のない矩形状である必要がある。しかしながら、一般的には、各種機能性や意匠性等について配慮することにより配設される巾木や付け框などの凸形段差があるだけでなく、例えば玄関の土間の立ち上がり部とスクリーン装置の取付面の間等に凹形段差があり、上記スクリーン装置の設置に際しては、それらの凸形段差及び凹形段差についてそれぞれ個別的に凹凸をなくすための作業を行っているのが通例である。
【発明の概要】
【発明が解決しようとする課題】
【０００３】
本発明の技術的課題は、スクリーン装置を設置しようとする建物開口部の額縁内面に、上述した凸形段差だけでなく、凹形段差もあるような場合にも容易に対応できるようにしたスクリーン装置を設置するための簡易な構成の取付枠を、各種設置現場に適合させて作業性よく設置できるようにした建物開口部用スクリーン装置取付枠及びその施工方法を提供することにある。
また、本発明の他の技術的課題は、戸毎に適宜形態をとる建物開口部の額縁内面に対して適用できるようにしたスクリーン装置取付枠を、同一形態の枠材に対して簡単な加工を施すことにより得られるようにした上記スクリーン装置取付枠及びその施工方法を提供することにある。
【課題を解決するための手段】
【０００４】
上記課題を解決するため、本発明によれば、建物開口部の額縁内面に固定してスクリーン装置の設置枠を形成させるための取付枠であって、該取付枠が、スクリーン装置設置用の平坦な取付面の両側端から同一方向に折曲された同長の立壁を備えて断面コ字状に形成され、該立壁には、その先端から更に突出する方向に埋設部材を取り付ける取付溝を設けると共に、上記額縁の凸形段差の高さに相当する長さだけ該立壁を先端側から切り込んで、その切り込みの先端位置で立壁を折曲することにより該位置で立壁を破断可能にするための、該取付枠の長手方向に延びる折り溝の多数を小間隔で凹設していることを特徴とする建物開口部用スクリーン装置取付枠が提供される。
【０００５】
また、上記課題を解決するため、本発明によれば、建物開口部の額縁内面に固定してスクリーン装置の設置枠を形成する取付枠の施工方法であって、スクリーン装置設置用の平坦な取付面の両側端から同一方向に折曲された同長の立壁を備えて断面コ字状に形成された枠材を用い、該立壁における上記額縁の凸形段差に対応する位置において、該立壁をその先端側から該凸形段差の高さに相当する長さだけ切り込み、その切り込みの先端位置で立壁を折曲することにより、該枠材の長手方向に小間隔で多数凹設している折り溝のうちで上記切り込みの先端位置に対応する折り溝に沿って該立壁を破断し、更に、上記額縁の凹形段差に対応する位置において、該立壁先端の埋設部材の取付溝に上記凹形段差の深さ相当長の埋設部材を取り付け、それによって構成される上記取付枠を、建物開口部の額縁内面の凸形段差及び凹形段差に対応させて該額縁内面に固定することによりスクリーン装置の設置枠を形成することを特徴とする建物開口部用スクリーン装置取付枠の施工方法が提供される。
【発明の効果】
【０００６】
上述した本発明の建物開口部用スクリーン装置取付枠及びその施工方法によれば、スクリーン装置を設置しようとする建物開口部の額縁内面に、上述した凸形段差だけでなく、凹形段差もあるような場合にも容易に対応できるようにしたスクリーン装置を設置するための簡易な構成の取付枠を、各種設置現場に適合させて作業性よく設置することができ、また、戸毎に適宜形態をとる建物開口部の額縁内面に対して適用できるようにしたスクリーン装置取付枠を、同一形態の枠材に対して簡単な加工を施すことにより容易に得ることができる。
【図面の簡単な説明】
【０００７】
【図１】本発明に係る建物開口部用スクリーン装置取付枠を用いたスクリーン装置の取付例を示す平断面図である。
【図２】同取付枠の装着過程を示す説明図である。
【図３】同取付枠の装着状態を示す正面図である。
【図４】本発明に係る取付枠によってスクリーン装置を取り付けるのに適した建物開口部（玄関）の斜視図である。
【図５】本発明に係るスクリーン装置取付枠の取付加工前の枠材の形態を示す斜視図である。
【図６】（ａ）及び（ｂ）は、上記枠材の加工状態を示す要部斜視図である。
【図７】上記枠材の加工を完了した状態の要部斜視図である。
【発明を実施するための形態】
【０００８】
本発明に係る建物開口部用スクリーン装置取付枠１０は、図１〜図３によって以下に説明するような態様で、建物開口部１の額縁２の内面に固定されるものである。上記取付枠１０によってスクリーン装置３を取り付けるのに適した建物開口部１としては、図４に例示する玄関のように、額縁２の左右内面に、巾木や付け框などの凸形段差２ａがあるだけでなく、玄関の土間の立ち上がり部とスクリーン装置３の取付面の間に凹形段差２ｂがあるような場合である。通常、上記額縁２の上下内面には凸形あるいは凹形段差が存在しないので、ここでは額縁の上下内面の段差をなくすことについては触れないが、必要があれば、以下に説明する取付枠１０を額縁２の左右内面に適用する場合と同様な手法で、額縁２の上下内面にも適用することができる。
【０００９】
建物開口部１の額縁２内面に固定してスクリーン装置３の設置枠を形成させる上記取付枠１０は、図５に示すようなアルミニウムあるいは合成樹脂等の一定断面形状の押出材からなる長尺の枠材１１を素材とし、図６の（ａ）及び（ｂ）に示すような後述する簡単な加工を行うことにより構成されるものである。該加工前の上記枠材１１は、スクリーン装置設置用の平坦な取付面１０ａの両側端から同一方向に折曲された同長の立壁１０ｂ，１０ｂを備えて断面コ字状に形成され、該立壁１０ｂには、その先端から更に突出する方向に向けて、モヘアやゴムあるいは合成樹脂などからなる埋設部材１２（図２参照）を取り付けるための取付溝１０ｄを設けた断面形状を有するものである。
【００１０】
また、上記立壁１０ｂ，１０ｂの外面には、枠材１１の長手方向に延びるＶ形の折り溝１０ｃの多数を小間隔で凹設している。この折り溝１０ｃは、図６（ａ）に示すように、立壁１０ｂをその先端側から上記額縁２の凸形段差２ａに相当する長さだけ金鋸２０等で切り込んだ後に、図６（ｂ）に示すように、ペンチ等の工具２１を用いて、その切り込み１１ａの先端位置にある折り溝１０ｃ′で立壁１０ｂを矢印方向へ折曲することにより、該位置での立壁１０ｂを破断可能にするためのものである。上記金鋸２０等で切り込んだ位置で立壁１０ｂを折り溝１０ｃに沿う方向に再び金鋸２０等で切り込むことは、作業性に問題があり、そのため、上記工具２１等による折り溝１０ｃでの破断は現場での作業性の改善のために非常に有効なものである。
【００１１】
但し、上記Ｖ形の折り溝１０ｃは、その多数を小間隔で凹設するにしても、例えば、２〜３ｍｍという一定の間隔で配設するため、上記金鋸２０等で切り込んだ位置で立壁１０ｂを折曲して破断した場合、その破断位置が額縁２の凸形段差２ａの高さに正確に対応するとは限らないが、その寸法差は、上記凸形段差２ａと加工した枠材１１との間に緩衝材や充填材等を介在させることによって目立たないものにすることができる。
【００１２】
上記立壁１０ｂの先端から更に突出する方向に向けてモヘア等の埋設部材１２を取り付けるための上記取付溝１０ｄは、図２に示すように、上記額縁２の凹形段差２ｂに対応する位置において、該取付溝１０ｄに上記凹形段差２ｂの深さに相当する毛長のモヘア、あるいはそれに相当する長さのゴムや合成樹脂などの埋設部材１２を取り付け、該凹形段差２ｂを目立たないものにするためのものである。
【００１３】
ついで、上記取付枠１０を用いて、前記凸形段差２ａや凹形段差２ｂのある建物開口部１の額縁２内面にスクリーン装置３の設置枠を取り付ける施工方法について説明する。
上述したところからわかるように、スクリーン装置３の設置枠を形成する取付枠１０を得るには、図５に示すようなアルミニウム等の押出材からなる長尺の枠材１１を使用し、図６（ａ）及び（ｂ）に示すような加工により、図７に示すように、スクリーン装置３の設置枠を取り付ける額縁２に適合する取付枠１０を得る。
【００１４】
上記枠材１１は、平坦なスクリーン装置の取付面１０ａの両側端に同長の立壁１０ｂ，１０ｂを設けて断面コ字状に形成したもので、上記加工では、まず最初に、図６の（ａ）及び（ｂ）に示すように、上記立壁１０ｂ，１０ｂにおける上記額縁２の凸形段差２ａに対応する位置において、該立壁１０ｂをその先端側から該凸形段差２ａの高さに相当する長さだけ切り込み、複数の切り込み１１ａを入れる。次に、図６の（ｂ）に示すように、ペンチ等の工具２１を用い、上記切り込み１１ａの先端位置にある折り溝１０ｃ′で立壁１０ｂを矢印方向へ折曲することにより、該位置での立壁１０ｂを破断し、その結果、立壁１０ｂに図７に示すような段差対応凹部１３を有する取付枠１０を得る。
【００１５】
なお、図６の（ａ）及び（ｂ）、並びに図７においては、一方の立壁１０ｂのみに上記切り込み等の加工を施した状態を示しているが、図１及び図４に示すように凸形段差２ａ及び凹形段差２ｂが連続して設けられている場合には、当然に他方の立壁１０ｂにも同様の加工を施すことになる。
しかしながら、上記凸形段差２ａ及び凹形段差２ｂが取付枠１０の設置位置までの場合や、取付枠１０の設置位置において凸形段差２ａ及び凹形段差２ｂの形状が変わる場合には、それに応じて他方の立壁１０ｂの加工を行えばよく、結果的に、上記取付枠１０は多様な額縁２の形態だけでなく、その形態の部分的な変化にも対応させることができる。
【００１６】
得られた取付枠１０を建物開口部１の額縁２に取り付けるに際しては、図２及び図３に示すように、取付枠１０における上記額縁２の凹形段差２ｂに対応する位置において、立壁１０ｂの先端の埋設部材１２の取付溝１０ｄに、上記凹形段差２ｂの深さに相当する毛長の埋設部材１２を取り付けたうえで、該埋設部材１２及び建物開口部１の額縁２内面の凸形段差２ａに対応する上記段差対応凹部１３を有する取付枠１０を、図３にその断面形状を付記した向きにおいて額縁２内面に取り付けることにより、額縁２内面にその凹形段差２ｂを埋設部材１２で目立たないものにして取付枠１０を固定し、スクリーン装置３の設置枠を形成することができる。
【００１７】
なお、図１では、スクリーン装置３として、建物開口部１の両側に網戸の側枠５，６を固定し、交互に逆方向に折り畳むことにより横方向に拡縮自在に形成されたプリーツ状のスクリーン７の両端を、建物開口部１における額縁２の一方の内側面に取り付けた取付枠１０に固定の側枠５と横方向にスライド自在の可動框８との間に連結することにより構成したアコーディオン式の網戸を示しているが、上述したスクリーン装置３は防虫のための網戸のみに限るものではなく、上記取付枠１０は、例えば、遮光、目隠し等のためのスクリーン装置にも適用することができる。
【００１８】
図１中において、符号９は玄関ドアを示し、また、上記取付枠１０の取付面１０ａに設けた溝１０ｅは、該取付枠１０を額縁２に固定する取付ネジ１５を螺挿したときにそのネジ頭を沈めるためのものであり、上記網戸の側枠５，６は、該溝１０ｅに螺挿するネジ１６により取付枠１０に対して取り付けることができる。
【符号の説明】
【００１９】
１      建物開口部
２      額縁
２ａ    凸形段差
２ｂ    凹形段差
３      スクリーン装置
１０      取付枠
１０ａ    取付面
１０ｂ    立壁
１０ｄ    取付溝
１１      枠材
１１ａ    切り込み
１２      埋設部材
１０ｃ，１０ｃ′    折り溝
【図１】
0005496870.tif 000002
【図２】
0005496870.tif 000003
【図３】
0005496870.tif 000004
【図４】
0005496870.tif 000005
【図５】
0005496870.tif 000006
【図６】
0005496870.tif 000007
【図７】
0005496870.tif 000008